(57)【特許請求の範囲】
【請求項１】
複数有る場合に上下に積重ね状態で連結し得るように設けられた収納ケースであって、前記収納ケースの下面部には下方に向けて開口する凹溝部が設けられ、一の収納ケースに他の収納ケースを積重ねた際、前記凹溝部が圧入被嵌連結し得る筒状，柱状，棒状若しくは軸状の嵌合凸条部が前記収納ケースの上面部に着脱自在に設けられ、前記収納ケースは、上部に立設部が設けられた枠状若しくは板状の下体と、前記立設部の上端部が差し込み連結される差し込み凹部が備えられた板状若しくは枠状の上体とを有する枠状体に引出体が出し入れ自在に設けられた構成であり、前記下体の下面部には前記立設部の上端部が差し込み連結される差し込み凹部が設けられて、複数の下体を前記立設部を介して上下に積重ね連結し得る構成であり、前記下体の差し込み凹部の周壁に前記凹溝部が設けられていることを特徴とする収納ケース。
【請求項２】
前記嵌合凸条部は、前記引出体の引き出し方向と直交する方向へ長さを有する横設状態で前記収納ケースの上面部に設けられていることを特徴とする請求項１記載の収納ケース。
【請求項３】
前記収納ケースの上面部にガイド凹溝が設けられ、このガイド凹溝にスライドすることで着脱自在に連結するスライド連結部が前記嵌合凸条部の下部に設けられていることを特徴とする請求項１，２のいずれか１項に記載の収納ケース。
【請求項４】
前記ガイド凹溝はアリ溝状であることを特徴とする請求項３記載の収納ケース。
【請求項５】
前記凹溝部として溝断面がＣ字状の凹溝部を採用し、弾性変形させて前記嵌合凸条部に圧入被嵌連結し得るように構成されていることを特徴とする請求項１〜４いずれか１項に記載の収納ケース。
【請求項６】
前記下体の差し込み凹部は、前記下体の下面部に下方に向けて開口する筒状部を設けて構成され、前記凹溝部は、前記差し込み凹部の周壁に該周壁の下縁に開口状態に設けられていることを特徴とする請求項１〜５のいずれか１項に記載の収納ケース。
【発明の詳細な説明】
【技術分野】
【０００１】
本発明は、収納ケースに関するものである。
【背景技術】
【０００２】
従来から、衣類や玩具などを収納する収納ケースとして、例えば実用新案登録第３０６６４１０号に開示されるような収納ケース（以下、従来例）が提案されている。
【０００３】
この従来例は、四方に配した支柱部並びに支柱部間を一体に連結すると共に任意段数に形成したケース載置部とを有し、頂部に天板部を装着したケース枠本体と、枠部材の支柱部で囲繞された空間に収納される大きさの容器体とで構成され、天板部の上面適宜位置に連結用凹部を形成するとともに、ケース枠本体の最底面に、連結用凹部に対応した位置に、連結用凹部に嵌合係止する連結用突部を突設したものである。
【０００４】
従って、従来例は、独立して使用できると共に、積層して任意段数の収納ケースとしても使用でき、しかも、この積層時の分離を防止することができる。
【先行技術文献】
【特許文献】
【０００５】
【特許文献１】実用新案登録第３０６６４１０号公報
【発明の概要】
【発明が解決しようとする課題】
【０００６】
本発明は、前述した収納ケースに関して更なる研究・開発を進めた結果、従来にない作用効果を発揮する画期的な収納ケースを開発した。
【課題を解決するための手段】
【０００７】
添付図面を参照して本発明の要旨を説明する。
【０００８】
複数有る場合に上下に積重ね状態で連結し得るように設けられた収納ケース１であって、前記収納ケース１の下面部には下方に向けて開口する凹溝部２が設けられ、一の収納ケース１に他の収納ケース１を積重ねた際、前記凹溝部２が圧入被嵌連結し得る筒状，柱状，棒状若しくは軸状の嵌合凸条部３が前記収納ケース１の上面部に着脱自在に設けられ、前記収納ケース１は、上部に立設部６が設けられた枠状若しくは板状の下体７と、前記立設部６の上端部が差し込み連結される差し込み凹部が備えられた板状若しくは枠状の上体９とを有する枠状体１Ａに引出体１Ｂが出し入れ自在に設けられた構成であり、前記下体７の下面部には前記立設部６の上端部が差し込み連結される差し込み凹部８が設けられて、複数の下体７を前記立設部６を介して上下に積重ね連結し得る構成であり、前記下体７の差し込み凹部８の周壁８ａに前記凹溝部２が設けられていることを特徴とする収納ケースに係るものである。
【０００９】
また、前記嵌合凸条部３は、前記引出体１Ｂの引き出し方向と直交する方向へ長さを有する横設状態で前記収納ケース１の上面部に設けられていることを特徴とする請求項１記載の収納ケースに係るものである。
【００１０】
また、前記収納ケース１の上面部にガイド凹溝４が設けられ、このガイド凹溝４にスライドすることで着脱自在に連結するスライド連結部５が前記嵌合凸条部３の下部に設けられていることを特徴とする請求項１，２のいずれか１項に記載の収納ケースに係るものである。
【００１１】
また、前記ガイド凹溝４はアリ溝状であることを特徴とする請求項３記載の収納ケースに係るものである。
【００１２】
また、前記凹溝部２として溝断面がＣ字状の凹溝部２を採用し、弾性変形させて前記嵌合凸条部３に圧入被嵌連結し得るように構成されていることを特徴とする請求項１〜４いずれか１項に記載の収納ケースに係るものである。
【００１３】
また、前記下体７の差し込み凹部８は、前記下体７の下面部に下方に向けて開口する筒状部を設けて構成され、前記凹溝部２は、前記差し込み凹部８の周壁８ａに該周壁８ａの下縁に開口状態に設けられていることを特徴とする請求項１〜５のいずれか１項に記載の収納ケースに係るものである。
【発明の効果】
【００１４】
本発明は上述のように構成したから、簡易に且つ確実に連結することができ、しかも、非常に使い勝手が良いなど、従来にない作用効果を発揮する画期的な収納ケースとなる。
【００１５】
また、請求項２記載の発明においては、引出体を引き出すことにより、上下に積重ね状態とした収納ケース同士の積重ね連結状態が解除されてしまうことを可及的に防止し得るなど、従来にない作用効果を発揮する画期的な収納ケースとなる。
【００１６】
また、請求項３，４，５記載の発明においては、より一層簡易且つ確実に収納ケース同士を上下に積重ね連結できることになるなど、従来にない作用効果を発揮する画期的な収納ケースとなる。
【００１７】
また、請求項６記載の発明においては、具体的な構造から前述した作用効果が確実に得られることになるなど、従来にない作用効果を発揮する画期的な収納ケースとなる。
【図面の簡単な説明】
【００１８】
【図１】本実施例を示す斜視図である。
【図２】本実施例を示す分解斜視図である。
【図３】本実施例の要部を示す斜視図である。
【図４】本実施例の要部の分解斜視図である。
【図５】本実施例の要部の説明断面図である。
【図６】本実施例の要部の動作説明図である。
【図７】本実施例の要部の動作説明図である。
【図８】本実施例の要部の説明断面図である。
【発明を実施するための形態】
【００１９】
好適と考える本発明の実施形態（発明をどのように実施するか）を、図面に基づいて本発明の作用を示して簡単に説明する。
【００２０】
例えば、収納ケース１を複数用意し、この収納ケース１同士を上下に積重ね状態で連結する場合、一の収納ケース１の上面部に嵌合凸条部３を設けた状態とし、この一の収納ケース１の上面部に他の収納ケース１を積み重ねる。
【００２１】
この際、一の収納ケース１の上面部に設けられた嵌合凸条部３に、他の収納ケース１の下面部に設けられ凹溝部２が圧入被嵌連結する。つまり、一の収納ケース１に他の収納ケース１を積重ねる一連の動作で両者は確実に連結され、不意に上下に積重ねた収納ケース１が崩れたりしない良好な積重ね状態が得られることになる。
【００２２】
また、本発明は、長さを有する筒状，柱状，棒状若しくは軸状の嵌合凸条部３に圧入被嵌連結する構成であるから、積重ねた際に若干位置がずれていたとしても嵌合凸条部３が長さを有する故に確実に凹溝部２を圧入被嵌連結させることができ、この点においても簡易且つ確実に収納ケース１同士を上下に積重ね連結することができる。
【００２３】
また、本発明は、嵌合凸条部３を収納ケース１の上面部に着脱自在であり、例えば積重ねない場合には、収納ケース１の上面部に嵌合凸条部３が無い状態とすれば、収納ケース１の上面部には不要な突起物が存在しないから、非常に使い勝手の良い状態が得られることになり、しかも、嵌合凸条部３が取り外し可能な為、場合によっては連結を不要とした積重ねも可能となる。
【実施例】
【００２４】
本発明の具体的な実施例について図面に基づいて説明する。
【００２５】
本実施例は、複数有る場合に上下に積重ね状態で連結し得るように設けた収納ケース１であって、収納ケース１の下面部に下方に向けて開口する凹溝部２を設け、一の収納ケース１に他の収納ケース１を積重ねた際、凹溝部２が圧入被嵌連結し得る筒状，柱状，棒状若しくは軸状の嵌合凸条部３を収納ケース１の上面部に着脱自在に設けたものである。
【００２６】
具体的には、収納ケース１は、図１，２，３，４に図示したように適宜な合成樹脂製の部材で形成したものであり、上面部四隅に立設部６を一体成形して設けた方形枠状（若しくは板状）の下体７と、各立設部６の上端部６ａが差し込み連結する差し込み凹部（図示省略）を下面部四隅に備えた方形板状（若しくは枠状）の上体９（天板）とから成る枠状体１Ａに、正面部，底面部，左右側面部及び背面部から成る上部開口型の引出体１Ｂを出し入れ自在に設けた構成である。
【００２７】
また、下体７の下面部四隅には、立設部６の上端部を差し込み連結する差し込み凹部８が設けられており、本実施例では、複数の下体７を立設部６を介して上下に積重ね連結して枠状体１Ａを構成している。
【００２８】
即ち、本実施例では、収納ケース１として、一対の下体７を上下に連結して各下体７に引出体１Ｂを設けたタイプの収納ケース１を採用している。
【００２９】
また、下体７の差し込み凹部８の周壁８ａには凹溝部２が設けられている。
【００３０】
具体的には、この下体７の差し込み凹部８は、下体７の下面部四隅に下方に向けて開口する角筒状部を設けて構成され、凹溝部２は、この差し込み凹部８の周壁８ａに該周壁８ａの下縁に開口状態に設けて構成されている。
【００３１】
また、図４に図示したように凹溝部２として溝断面がＣ字状の凹溝部２を採用し、この凹溝部２の開口部２ａはテーパ状に形成されており、この開口部２ａを通過した後、合成樹脂故に生じる弾性変形させて嵌合凸条部３に圧入被嵌連結し得るように構成されている。
【００３２】
また、図６，７に図示したように収納ケース１（上体９）の上面部四隅には、ガイド凹溝４が設けられており、このガイド凹溝４にスライドすることで着脱自在に連結するスライド連結部５を嵌合凸条部３の下部に設けている。
【００３３】
本実施例ではガイド凹溝４は断面アリ溝状であり、具体的には、このガイド凹溝４の上部開口部にはスリット４ａを有するスリット形成部４ｂが設けられている。
【００３４】
また、このガイド凹溝４は引出体１Ｂの引き出し方向と直交する方向（左右方向）へ長さを有する横設状態で収納ケース１の上面部に設けられ、その端部は収納ケース１の上面部（上体９）の側面に開口するように設けられており、よって、このガイド凹溝４にスライド連結部５をスライド連結することで、嵌合凸条部３は、引出体１Ｂの引き出し方向と直交する方向へ長さを有する横設状態で収納ケース１の上面部に設けられるように構成されている。
【００３５】
嵌合凸条部３は、図６，７に図示したように適宜な合成樹脂製の部材で一体成形したものであり、前述した下体７の成形時に該下体７と図示省略の軸状連結部を介して一体成形されている。
【００３６】
この軸状連結部は、切断工具など使用せずとも嵌合凸条部３をねじるなどして簡単に下体７から分離し得るように構成されている。
【００３７】
嵌合凸条部３は上面が円弧面となる円筒状体であり、この嵌合凸条部３の下部にスライド連結部５が設けられている。尚、嵌合凸条部３は円柱状，丸棒状若しくは丸軸状でも良い。
【００３８】
このスライド連結部５は断面Ｈ形状であり、具体的には、断面アリ溝状のガイド凹溝４にスライド挿入する第一板部５ａと、このガイド凹溝４のスリット形成部４ｂの上面に重合される第二板部５ｂと、第一板部５ａと第二板部５ｂとの間に架設されスリット４ａに挿入される架設板部５ｃとで構成されている。
【００３９】
尚、本実施例では、収納ケース１の下面部に凹溝部２を設け、収納ケース１の上面部に嵌合凸条部３を設けているが、収納ケース１の上面部に上方に向けて開口する凹溝部２を設け、一の収納ケース１に他の収納ケース１を積重ねた際、凹溝部２が圧入被嵌連結し得る筒状，柱状，棒状若しくは軸状の嵌合凸条部３を収納ケース１の下面部に着脱自在に設けても良い。
【００４０】
本実施例は上述のように構成したから、例えば、収納ケース１を複数用意し、この収納ケース１同士を上下に積重ね状態で連結する場合、一の収納ケース１の上面部に嵌合凸条部３を設けた状態とし、この一の収納ケース１の上面部に他の収納ケース１を積み重ねる。
【００４１】
この際、一の収納ケース１の上面部に設けられた嵌合凸条部３に、他の収納ケース１の下面部に設けられ凹溝部２が圧入被嵌連結する（図８参照）。つまり、一の収納ケース１に他の収納ケース１を積重ねる一連の動作で両者は確実に連結（上の収納ケース１を押し込むワンタッチ連結）され、不意に上下に積重ねた収納ケース１が崩れたりしない良好な積重ね状態が得られることになる。
【００４２】
また、本実施例は、長さを有する筒状，柱状，棒状若しくは軸状の嵌合凸条部３に圧入被嵌連結する構成であるから、積重ねた際に若干位置がずれていたとしても嵌合凸条部３が長さを有する故に確実に凹溝部２を圧入被嵌連結させることができ、この点においても簡易且つ確実に収納ケース１同士を上下に積重ね連結することができる。
【００４３】
また、本実施例は、嵌合凸条部３を収納ケース１の上面部に着脱自在であり、例えば積重ねない場合には、収納ケース１の上面部に嵌合凸条部３が無い状態とすれば、収納ケース１の上面部には不要な突起物が存在しないから、非常に使い勝手の良い状態が得られることになり、しかも、嵌合凸条部３が取り外し可能な為、場合によっては連結を不要とした積重ねも可能となる。
【００４４】
よって、本実施例によれば、簡易に且つ確実に連結することができ、しかも、非常に使い勝手が良い。
【００４５】
また、本実施例は、収納ケース１は、水平方向へ引き出し自在となる引出体１Ｂを有し、嵌合凸条部３を、引出体１Ｂの引き出し方向と直交する方向へ長さを有する横設状態で収納ケース１の上面部に設けたから、引出体１Ｂを引き出すことにより、上下に積重ね状態とした収納ケース１同士の積重ね連結状態が解除（分離）されてしまうことを可及的に防止し得ることになる。
【００４６】
尚、本発明は、本実施例に限られるものではなく、各構成要件の具体的構成は適宜設計し得るものである。
【符号の説明】
【００４７】
１  収納ケース
１Ａ  枠状態
１Ｂ  引出体
２  凹溝部
３  嵌合凸条部
４  ガイド凹溝
５  スライド連結部
６  立設部
７  下体
８  差し込み凹部
８ａ  周壁
９  上体
【図１】
0006008903.tif 000002
【図２】
0006008903.tif 000003
【図３】
0006008903.tif 000004
【図４】
0006008903.tif 000005
【図５】
0006008903.tif 000006
【図６】
0006008903.tif 000007
【図７】
0006008903.tif 000008
【図８】
0006008903.tif 000009